(57)【特許請求の範囲】
【請求項１】
部屋の開口部に配設される戸であって、戸本体の片側面を部分的に方形、円形等の所要の形状に浅く切り抜き、該切り抜き部分における戸本体の厚み方向の中心部に、戸本体の幅方向に沿い且つ一端側が小口面に開口する掲示ボードの収容スペースを設け、該掲示ボードの収容スペースに、展示物を貼り付ける掲示ボードを小口面側から差し込み可能となしたことを特徴とするディスプレイ部を有する戸。
【請求項２】
掲示ボードの前面を覆う透明なカバーパネルを小口面側から差し込み可能となした請求項１記載のディスプレイ部を有する戸。
【請求項３】
掲示ボード又は掲示ボードとカバーパネルの脱落を防止する構造を設けてなる請求項１又は２記載のディスプレイ部を有する戸。
【請求項４】
掲示ボード又は掲示ボードとカバーパネルの脱落を防止する構造が、戸本体の小口面に設けた縦長方形状の凹部と、前記凹部に嵌脱自在に嵌合する脱落防止ボードと、前記凹部に前記脱落防止ボードを固定する手段とから構成されるものである請求項３記載のディスプレイ部を有する戸。
【請求項５】
凹部に脱落防止ボードを固定する手段が、ボルトとインサートナットとからなる手段である請求項４記載のディスプレイ部を有する戸。
【請求項６】
凹部に脱落防止ボードを固定する手段が、プッシュラッチである請求項４記載のディスプレイ部を有する戸。
【請求項７】
凹部に脱落防止ボードを固定する手段が、マグネットプッシュラッチである請求項４記載のディスプレイ部を有する戸。
【発明の詳細な説明】
【技術分野】
【０００１】
本発明は、ディスプレイ部を有する戸に関し、更に詳細には、戸本体における片側面の一箇所、或いは複数箇所に、写真や絵画、或いは布といった平面的な展示物を展示することを可能となしたディスプレイ部を有する戸に係わる。
【背景技術】
【０００２】
建物の戸には開き戸と引き戸があり、そしてそのいずれの戸においても戸本体に額縁状のディスプレイ部を有するものは存在しない。
【０００３】
そこで、本発明者は、戸本体に額縁状のディスプレイ部を設け、これに写真や絵画、或いは布といった平面的な展示物を展示することができるようになし、しかも自由に且つ簡単にこれらを交換することができるようになせば、戸に装飾性を付与することができ、もって意匠性を高めて高級感を醸し出すことができるようになることを知見した。
【発明の概要】
【発明が解決しようとする課題】
【０００４】
本発明は、上記知見に基づきなされたものであって、戸本体に額縁状のディスプレイ部を設けた、ディスプレイ部を有する戸を提供しようとするものである。
【課題を解決するための手段】
【０００５】
而して、本発明の要旨とするところは、部屋の開口部に配設される戸であって、戸本体の片側面を部分的に方形、円形等の所要の形状に浅く切り抜き、該切り抜き部分における戸本体の厚み方向の中心部に、戸本体の幅方向に沿い且つ一端側が小口面に開口する掲示ボードの収容スペースを設け、該掲示ボードの収容スペースに、展示物を貼り付ける掲示ボードを小口面側から差し込み可能となしたことを特徴とするディスプレイ部を有する戸にある。
【０００６】
また、上記構成において、掲示ボードの前面を覆う透明なカバーパネルを小口面側から差し込み可能となしてもよい。
【０００７】
また、上記構成において、掲示ボード又は掲示ボードとカバーパネルの脱落を防止する構造を設けるようにしてもよい。
【０００８】
また、掲示ボード又は掲示ボードとカバーパネルの脱落を防止する構造が、戸本体の小口面に設けた縦長方形状の凹部と、前記凹部に嵌脱自在に嵌合する脱落防止ボードと、前記凹部に前記脱落防止ボードを固定する手段とから構成されるものであるようにしてもよい。また、該凹部に脱落防止ボードを固定する手段としては、公知の適宜の手段を用いればよく、ボルトとインサートナットによる手段や、プッシュラッチ、マグネットプッシュラッチ等の手段を用いてもよい。
【発明の効果】
【０００９】
本発明は上記の如き構成であり、部屋の開口部に配設される戸であって、戸本体の片側面を部分的に方形、円形等の所要の形状に浅く切り抜き、該切り抜き部分における戸本体の厚み方向の中心部に、戸本体の幅方向に沿い且つ一端側が小口面に開口する掲示ボードの収容スペースを設け、該掲示ボードの収容スペースに、展示物を貼り付ける掲示ボードを小口面側から差し込むことができるようになして、戸本体に額縁状のディスプレイ部を設けたものであるから、戸に装飾性を付与することができ、もって意匠性を高めて高級感を醸しだすことができるようになるものである。
また、展示物を、例えば布とした場合においては、室内で使用されているクッションやカーテン、ランチョンマット等の布製品と同じ生地とすること等により、手軽にコーディネートを可能とすることができるものである。
【００１０】
また、掲示ボードの前面を覆う透明なカバーパネルを小口面側から差し込み可能となした場合には、該カバーパネルにより掲示ボードに貼り付けた展示物へのホコリの付着を防止すると共に、湿気による展示物への影響を排除することができるものである。
【００１１】
また、掲示ボード等の出し入れを戸本体の小口面側から行うことができるから、掲示物を掲示するときも、これを交換するときも、簡単、迅速に行うことができるものである。
【００１２】
また、掲示ボード又は掲示ボードとカバーパネルの脱落を防止する構造を設けているから、戸を開閉する際の衝撃で掲示ボード又は掲示ボードとカバーパネルがずれたり、脱落したりすることを防ぐことができるものである。
【図面の簡単な説明】
【００１３】
【図１】本発明の実施形態に係るディスプレイ部を有する戸の設置状態の正面図である。
【図２】図１中Ａ部分の拡大断面図である。
【図３】掲示ボードの正面図である。
【図４】カバーパネルの正面図である。
【図５】掲示ボードとカバーパネルの差し込み部分の一部省略して示した拡大図である。
【図６】掲示ボードとカバーパネルの差し込み部分の拡大斜視図である。
【発明を実施するための形態】
【００１４】
以下、本発明を実施するための形態について、図面を参照して説明する。
【００１５】
本実施形態は戸が開き戸である場合の形態であり、図１に示す如く、該戸１は部屋Ｒの開口部Ｒ１に内外方向に開閉するように配設されている。
【００１６】
また、該戸１は、戸本体１Ａの片側面を横長方形状に浅く切り抜き、該切り抜き部分２における戸本体１Ａの厚み方向の中心部に、展示物を貼り付ける掲示ボード３と、該掲示ボード３の前面を覆う透明なカバーパネル４とを小口面側１Ａ’から差し込み可能となしたものである。そして、これにより戸本体１Ａに額縁状のディスプレイ部Ｄが設けられるものである。尚、５は戸本体１Ａの厚み方向の中心部に設けた、戸本体１Ａの幅方向に沿い且つ一端側が小口面１Ａ’に開口する掲示ボード３とカバーパネル４の収容スペースである。また、３Ａは展示物である。
【００１７】
また、切り抜き部分２の形状は、本実施形態においては横長方形状となしているが、図示はしないが、円形や楕円形等の適宜の形状を選択可能である。
【００１８】
また、ディスプレイ部Ｄは、本実施形態においては一箇所のみであるが、複数箇所に設けるようにしてもよいものである。
【００１９】
また、本実施形態においては、掲示ボード３の他に、該掲示ボード３の前面を覆う透明なカバーパネル４を用い、該カバーパネル４を戸本体１Ａの小口面側１Ａ′から差し込み可能となしているが、該カバーパネル４の使用、不使用は適宜に決定すればよいものである。
【００２０】
また、本実施形態においては、戸を開閉する際の衝撃で掲示ボード３とカバーパネル４がずれたり、脱落したりすることを防ぐための構造６が設けられており、それは、戸本体１Ａの小口面１Ａ′に設けた縦長方形状の凹部７と、前記凹部７に嵌脱自在に嵌合する脱落防止ボード８と、前記凹部７に前記脱落防止ボード８を固定する手段１１とから構成されている。そして、該凹部７に脱落防止ボード８を固定する手段１１としては、公知の適宜の手段を用いればよく、本実施形態においてはボルト９とインサートナット１０とからなる手段を用いているが、図示はしないが、プッシュラッチ、マグネットプッシュラッチ等の手段を用いるようにしてもよい。
【００２１】
尚、掲示ボード３とカバーパネル４の脱落を防止する構造６については、上記の例に限定されるものではなく、適宜に選択可能である。
【００２２】
次に、本実施形態の作用について説明する。
写真や絵画、或いは布といった平面的な展示物３Ａを展示するときには、図６に示す如く、先ず、ボルト９、９を回してインサートナット１０から外し、脱落防止ボード８を凹部７から引き出した後、掲示ボード３を、それにつけた紐３′を引いて戸本体１Ａの小口面１Ａ′から引き抜くものである。そして、該掲示ボード３に展示物３Ａを貼り付けたら、再び該掲示ボード３を差し込み、最後にボルト９、９をネジ回して凹部７に嵌合した脱落防止ボード８を固定するものである。また、展示物３を交換する際の手順も同様である。尚、本実施形態において展示物３Ａが厚いものである場合には、カバーパネル４を外して使用するようにしてもよい。
【００２３】
本実施形態は、上記の如き構成であり、戸本体１Ａの片側面を横長方形状に浅く切り抜き、この切り抜き部分２の裏側に戸本体１Ａの小口面１Ａ′側から展示物を貼り付ける掲示ボード３と、これの前面を覆う透明なカバーパネル４とを差し込むことができるようになして、戸本体１Ａに額縁状のディスプレイ部Ｄを設けたものであるから、戸に装飾性を付与することができ、もって意匠性を高めて高級感を醸し出すことができるようになるものである。また、展示物３Ａを、例えば布とした場合においては、室内で使用されているクッションやカーテン、ランチョンマット等の布製品と同じ生地とすること等により、手軽にコーディネートを可能とすることができるものである。
【００２４】
また、掲示ボード３等の出し入れを戸本体１Ａの小口面１Ａ′側から行うことができるから、掲示物を掲示するときも、これを交換するときも、簡単、迅速に行うことができるものである。
【００２５】
また、掲示ボード３とカバーパネル４の脱落を防止する構造６を設けているから、戸を開閉する際の衝撃で掲示ボード３とカバーパネル４がずれたり、脱落したりすることを防ぐことができるものである。
【００２６】
また、本実施形態は戸として開き戸の場合を例として示したが、図示はしないが引き戸にも同様に実施することが可能である。
【符号の説明】
【００２７】
１  戸
１Ａ  戸本体
２  切り抜き部分
３  掲示ボード
４  カバーパネル
５  掲示ボード等の収容スペース
６  掲示ボード等の脱落防止構造
７  凹部
８  脱落防止ボード
９  ボルト
１０  インサートナット
【要約】
【課題】  戸に装飾性を付与し、意匠性を高めて高級感を醸し出させる。
【解決手段】  戸本体１Ａの片側面を横長方形状に浅く切り抜く。該切り抜き部分２における戸本体１Ａの厚み方向の中心部に、展示物を貼り付ける掲示ボード３と、該掲示ボード３の前面を覆う透明なカバーパネル４とを小口面１Ａ’側から差し込み可能となす。戸本体１Ａの小口面１Ａ’に設けた縦長方形状の凹部７と、凹部７に嵌脱自在に嵌合する脱落防止ボード８と、凹部７に脱落防止ボード８を固定するボルト９とインサートナット１０からなる手段１１とから構成される掲示ボード３とカバーパネル４の脱落を防止する構造６を設ける。
【選択図】  図６【図１】
0006782873.tif 000002
【図２】
0006782873.tif 000003
【図３】
0006782873.tif 000004
【図４】
0006782873.tif 000005
【図５】
0006782873.tif 000006
【図６】
0006782873.tif 000007